(57)【要約】【課題】特定のダイヤルイン番号を受信したときに、通信端末装置に通信回線を介して接続されたクライアント装置を呼び出すことができる通信端末装置を提供する。【解決手段】ファクシミリサーバ装置２０は、公衆電話回線Ｌを介して受信されるダイヤルイン番号信号に基づいて着信交換機能を有するＮＣＵ１１を備え、また、ダイヤルイン番号に対応するクライアントパーソナルコンピュータ３０及びＩＰ電話機７０のＩＰアドレスを示す番号アドレステーブルを格納する番号アドレステーブル７ａを含むＲＡＭ７を備える。主制御部１は、公衆電話回線Ｌを介して受信されるダイヤルイン番号信号に応答して、上記番号アドレステーブル７ａを参照して、受信したダイヤルイン番号に対応するＩＰアドレスのクライアントパーソナルコンピュータ３０又はＩＰ電話機７０を検索し、検索した装置に対して着信呼を指定された呼び出しモードで報知する。【選択図】  図５
2004343332.tif 000002
【特許請求の範囲】
【請求項１】
クライアント装置が通信回線を介して接続され、ダイヤルインサービス機能を有する通信端末装置であって、ダイヤルイン番号に対応するクライアント装置のＩＰアドレスを示す番号アドレステーブルを格納する記憶手段と、ダイヤルイン番号信号に応答して、上記番号アドレステーブルを参照して、受信したダイヤルイン番号に対応するＩＰアドレスのクライアント装置を検索し、検索したクライアント装置に対して着信呼を報知する制御手段を備えたことを特徴とする通信端末装置。
【請求項２】
上記制御手段は、検索したクライアント装置に対して着信呼を電子メールを用いて報知することを特徴とする請求項１記載の通信端末装置。
【請求項３】
上記制御手段は、検索したクライアント装置に対して着信呼を当該クライアント装置の鳴動機能を用いて報知することを特徴とする請求項１記載の通信端末装置。
【請求項４】
ＩＰ電話機が上記通信回線を介して上記通信端末装置にさらに接続され、上記番号アドレステーブルはさらに、ダイヤルイン番号に対応するＩＰ電話機のＩＰアドレスを含み、上記制御手段は、ダイヤルイン番号信号に応答して、上記番号アドレステーブルを参照して、受信したダイヤルイン番号に対応するＩＰアドレスのＩＰ電話機を検索し、検索したＩＰ電話機に対して着信呼を報知することを特徴とする請求項１乃至３のいずれか１つに記載の通信端末装置。
【発明の詳細な説明】
【０００１】
【発明の属する技術分野】
本発明は、互いに通信回線を介して接続されたファクシミリサーバ装置とクライアント装置とを備えたローカルエリアネットワークシステム（以下、ＬＡＮシステムという。）に接続されるファクシミリサーバ装置などの通信端末装置に関する。
【０００２】
【従来の技術】
例えば、公衆電話回線などの通信回線に接続されファクシミリの送受信機能を有するファクシミリサーバ装置と、パーソナルコンピュータなどのクライアント装置とがＬＡＮを介して接続してなるファクシミリシステムが実用化されている。この従来技術のファクシミリシステムでは、クライアント装置からファクシミリサーバ装置に対して画像データ及び送信先情報を送信することにより、ファクシミリサーバ装置は、画像データを通信回線を介して送信先に送信する一方、ファクシミリサーバ装置が画像データを受信したときは、画像データを所定のクライアント装置に送信することにより、クライアント装置は画像データを受信する。
【０００３】
この従来技術のファクシミリサーバ装置においては、Ｇ３ファクシミリの画像データや、電子メールを用いたインターネットファクシミリの画像データを受信して、クライアント装置等に配信処理を行うことができる。
【０００４】
【特許文献１】
特開平１１−３４１０７３号公報。
【０００５】
【発明が解決しようとする課題】
この従来技術のファクシミリサーバ装置がダイヤルインサービス機能を有する場合において、所定のダイヤルイン番号のときのみ、ファクシミリサーバ装置に直接に接続されている付属の電話機を呼び出すことはできたが（例えば、特許文献１の段落番号００１７などの記載参照。）、ＬＡＮに接続されたクライアント装置を呼び出すことはできなかった。
【０００６】
本発明の目的は以上の問題点を解決し、ダイヤルインサービス機能を有するファクシミリサーバ装置などの通信端末装置において、特定のダイヤルイン番号を受信したときに、当該通信端末装置に接続されたクライアント装置を呼び出すことができる通信端末装置を提供することにある。
【０００７】
【課題を解決するための手段】
本発明に係る通信端末装置は、クライアント装置が通信回線を介して接続され、ダイヤルインサービス機能を有する通信端末装置であって、ダイヤルイン番号に対応するクライアント装置のＩＰアドレスを示す番号アドレステーブルを格納する記憶手段と、ダイヤルイン番号信号に応答して、上記番号アドレステーブルを参照して、受信したダイヤルイン番号に対応するＩＰアドレスのクライアント装置を検索し、検索したクライアント装置に対して着信呼を報知する制御手段を備えたことを特徴とする。
【０００８】
上記通信端末装置において、上記制御手段は、検索したクライアント装置に対して着信呼を電子メールを用いて報知することを特徴とする。
【０００９】
また、上記通信端末装置において、上記制御手段は、検索したクライアント装置に対して着信呼を当該クライアント装置の鳴動機能を用いて報知することを特徴とする。
【００１０】
さらに、上記通信端末装置において、ＩＰ電話機が上記通信回線を介して上記通信端末装置にさらに接続され、上記番号アドレステーブルはさらに、ダイヤルイン番号に対応するＩＰ電話機のＩＰアドレスを含み、上記制御手段は、ダイヤルイン番号信号に応答して、上記番号アドレステーブルを参照して、受信したダイヤルイン番号に対応するＩＰアドレスのＩＰ電話機を検索し、検索したＩＰ電話機に対して着信呼を報知することを特徴とする。
【００１１】
【発明の実施の形態】
以下、図面を参照して本発明に係る実施形態について説明する。
【００１２】
図１は、本発明に係る一実施形態である、ファクシミリサーバ装置２０及びクライアントパーソナルコンピュータ３０−１乃至３０−Ｎを備えたファクシミリシステムの構成を示すブロック図である。
【００１３】
この実施形態に係るファクシミリシステムは、複数Ｎ台のクライアントパーソナルコンピュータ３０−１乃至３０−Ｎ（以下、総称して符号３０を付す。）と、複数Ｍ個のＩＰ電話機７０−１乃至７０−Ｍ（以下、総称して符号７０を付す。）と、公衆電話回線Ｌを介してそれぞれ公衆電話網８０に接続されたファクシミリサーバ装置２０と、メールサーバ装置５０と、インターネット９０に接続されたルータ装置６０とがＬＡＮ７０を介して接続されて構成される。
【００１４】
この実施形態に係るファクシミリサーバ装置２０は、公衆電話回線Ｌを介して受信されるダイヤルイン番号信号に基づいて着信交換機能を有するＮＣＵ１１を備えるとともに、ダイヤルイン番号に対応するクライアントパーソナルコンピュータ３０及びＩＰ電話機７０のＩＰアドレスを示す番号アドレステーブルを格納する番号アドレステーブル７ａを含むＲＡＭ７を備える。主制御部１は、公衆電話回線Ｌを介して受信されるダイヤルイン番号信号に応答して、上記番号アドレステーブル７ａを参照して、受信したダイヤルイン番号に対応するＩＰアドレスのクライアントパーソナルコンピュータ３０又はＩＰ電話機７０を検索し、検索した装置に対して着信呼を次のモードで報知することを特徴としている。
【００１５】
（１）ＩＰ電話機７０の着信モード（図４の呼び出しモードにおいて、「ＩＰ電話機」という。）。
（２）クライアントパーソナルコンピュータ３０の電子メールでの着信モード（図４の読み出しモードにおいて、ＰＣ（電子メール）という。）。電子メールでの着信モードでは、相手先からの着信を電子メールを用いて通知し、これに応答して、ハンドセット１１１などを用いて相手先と通信する。
（３）クライアントパーソナルコンピュータ３０のブザーでの着信モード（図４の読み出しモードにおいて、ＰＣ（ブザー）という。）。
（４）クライアントパーソナルコンピュータ３０のハンドセットでの着信モード（図４の読み出しモードにおいて、ＰＣ（ハンドセット）という。）。
【００１６】
なお、図２においては、クライアントパーソナルコンピュータ３０において、上記（２）乃至（４）の機能を有するように説明するが、ＬＡＮ７０内のＩＰアドレスとクライアントパーソナルコンピュータ３０とは１対１に対応しているので、１つのクライアントパーソナルコンピュータ３０においては、上記（２）乃至（４）の機能のうちのいずれか１つをクライアントパーソナルコンピュータ３０の操作部１０５を用いて予め選択するように設定される。
【００１７】
図１において、メールサーバ装置５０は、クライアントパーソナルコンピュータや相手先のメールサーバ装置（図示せず。）からインターネット９０及びＬＡＮ７０を介して受信し、受信した電子メールがＭＩＭＥ形式で符号化された画像データを含むときは画像データを含む電子メールを保持する。インターネット９０経由で画像データを含む電子メールを送信するときは、クライアントパーソナルコンピュータ３０からメールサーバ装置５０、ルータ装置６０及びインターネット９０を介して相手先のメールサーバ装置に送信される。
【００１８】
図２は、図１のクライアントパーソナルコンピュータ３０の構成を示すブロック図である。図２において、クライアントパーソナルコンピュータ３０は、公知のパーソナルコンピュータであって、画像データや文字データの生成や記録などの処理を実行する。本実施形態においては、クライアントパーソナルコンピュータ３０は、一例として、ファクシミリの画像データを送信し又は受信する端末装置として用いられる。主制御部１０１は具体的にはＣＰＵで構成されており、バス１１３を介して以下のハードウェア各部と接続されていてそれらを制御するほか、後述する種々のソフトウェアの機能を実行する。このクライアントパーソナルコンピュータ３０において、画像読取部１０２及び画像記録部１０３はオプションで設けられ、画像読取部１０２は、ＣＣＤ等を利用したスキャナで原稿を読み取り、白黒２値に変換したドットイメージデータを出力する。画像記録部１０３は例えば電子写真方式等の画像記録装置であり、他のファクシミリサーバ装置からファクシミリ通信により受信したイメージデータをハードコピーとしてプリントアウトして記録したり、文字データを記録する。表示部１０４は、液晶表示装置（ＬＣＤ）又はＣＲＴディスプレイ等の表示装置であり、当該クライアントパーソナルコンピュータ３０の動作状態を表示したり、送信すべき原稿のイメージデータ、及び受信したイメージデータの表示を行う。操作部１０５は、例えばキーボードであり、文字データや指示コマンドを入力するためのものである。
【００１９】
ＲＯＭ１０６は、当該クライアントパーソナルコンピュータ３０の動作に必要であって主制御部１０１によって実行される種々のソフトウェアのプログラムを予め格納する。また、ＲＡＭ１０７は、ＳＲＡＭ、ＤＲＡＭ、ＳＤＲＡＭ等で構成され、主制御部１０１のワーキングエリアとして使用されてプログラムの実行時に発生する一時的なデータを記憶する。さらに、ハードディスクドライブ１０８は、記録媒体を内蔵する記憶装置であり、実行するアプリケーションプログラムや画像メモリを格納する。
【００２０】
ブザー１０９は、主制御部１からの指示信号に基づいて所定の鳴動音を発する装置であり、図４のＰＣ（ブザー）の呼び出しモードで鳴動する。また、バス１１３にハンドセットインターフェース１１０を介してハンドセット１１１が接続され、ハンドセット１１１はいわゆる電話機の受送話器であってマイクロホン及びスピーカの機能を有する。従って、主制御部１からバス１１３を介して送られるディジタル音声信号はハンドセットインターフェース１１０によりＤ／Ａ変換された後、ハンドセット１１１のスピーカから出力される一方、ハンドセット１１１のマイクロホンへの音声は電気信号に変換された後、ハンドセットインターフェース１１０によりＡ／Ｄ変換された後、バス１１３を介して主制御部１に送られる。なお、主制御部１からハンドセット１１１に対して所定の鳴動音信号を送ることにより、ハンドセット１１１を鳴動させることもできる。
【００２１】
ＬＡＮインターフェース１１２は、ＬＡＮ７０に接続され、ＬＡＮ７０からの信号やデータを受信する一方、ＬＡＮ７０に対して信号やデータを送信して信号変換やプロトコル変換などのインターフェース処理を実行する。
【００２２】
図３は、図１のファクシミリサーバ装置２０の構成を示すブロック図である。図３において、ファクシミリサーバ装置２０は、従来のＧ３方式等のファクシミリ通信機能、及び電子メールを用いたファクシミリ通信機能を備えている。主制御部１は具体的にはＣＰＵで構成されており、バス１３を介して以下のハードウェア各部と接続されていてそれらを制御するほか、後述する種々のソフトウェアの機能を実行する。表示部４は、液晶表示装置（ＬＣＤ）又はＣＲＴディスプレイ等の表示装置であり、当該ファクシミリサーバ装置２０の動作状態を表示したり、送信すべき原稿のイメージデータ、及び受信したイメージデータの表示を行う。操作部５は、当該ファクシミリサーバ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００２３】
ＲＯＭ６は、当該ファクシミリサーバ装置２０の動作に必要であって主制御部１によって実行される種々のソフトウェアのプログラムを予め格納する。ここで、ＲＯＭ６は、少なくとも図４の着信処理のプログラムを格納する。ＲＡＭ７は、ＳＲＡＭ、ＤＲＡＭ、ＳＤＲＡＭ等で構成され、主制御部１のワーキングエリアとして使用されてプログラムの実行時に発生する一時的なデータを記憶する。なお、ＲＡＭ７としてフラッシュメモリを使用した場合には、停電、装置の移動等のために電源が遮断された場合にもそのデータの内容が失われない。画像メモリ８はＤＲＡＭ等で構成され、送信すべきイメージデータ又は受信したイメージデータを記憶する。さらに、ページバッファメモリ９は、例えば２ＭＢのメモリ容量を有し、ファックスモデム８を介してファクシミリ受信した画像データのページデータを一時的に格納した後、画像メモリ８に転送する。
【００２４】
ファックスモデム１０は、公衆電話回線Ｌに接続され、通常のファクシミリ通信用のファックスモデムの機能を有するモデムである。ＮＣＵ（ネットワーク制御回路：Ｎｅｔｗｏｒｋ  Ｃｏｎｔｒｏｌ  Ｕｎｉｔ）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。
【００２５】
また、ＮＣＵ１１は、着信信号に続いて、公衆電話回線Ｌを介して受信されるダイヤルイン番号信号（例えば、ＤＴＭＦ信号）に基づく着信交換機能を有し、ダイヤルイン番号信号を受信したとき、ダイヤルイン番号信号に含まれるダイヤルイン番号を主制御部１に出力する。これに応答して、主制御部１は、図５を参照して詳細後述するダイヤルインの着信処理を実行することにより、ダイヤルイン番号に対応するＩＰアドレスをＲＡＭ７内の番号アドレステーブル７ａから検索して検索したＩＰアドレスを有するクライアントパーソナルコンピュータ３０又はＩＰ電話機７０に対して着信呼の報知を指定された呼び出しモードで実行する。なお、ＮＣＵ１１を所定のターミナルアダプタ及びＤＳＵ（加入者線終端装置：Ｄｉｇｉｔａｌ  Ｓｅｒｖｉｃｅ  Ｕｎｉｔ）を介して、ベースバンド伝送方式のデジタル回線（例えば、ＩＳＤＮ回線）に接続するようにしてもよい。
【００２６】
さらに、ＬＡＮインターフェース１２は、ＬＡＮ７０に接続され、ＬＡＮ７０からの信号やデータを受信する一方、ＬＡＮ７０に対して信号やデータを送信して信号変換やプロトコル変換などのインターフェース処理を実行する。
【００２７】
以上のように構成されたファクシミリサーバ装置２０は、通常のＧ３方式等のファクシミリ通信機能、及び電子メールを用いたファクシミリ通信機能を有している。なお、画像メモリ８はイメージデータを必要に応じて記憶し、また逆に記憶しているイメージデータを必要に応じて出力する。また、ファクシミリサーバ装置２０は、上記配信先通知データに応答して、対応する画像データを上記配信先通知データで指示された配信先に配信し、ここで、配信方法は、公衆電話網Ｌを介するＩＴＵ−Ｔ勧告のＴ．３０の通信手順に基づくファクシミリ送信と、インターネット９０を介して電子メールを用いて画像データを送信するインターネットファクシミリ送信とを含む。
【００２８】
また、図１のＩＰ電話機７０は、ＬＡＮインターフェースを有し、ＩＰ（インターネットプロトコル）を用いて電話機能を実現した公知のＩＰ電話機であって、例えば、ＳＩＰ（Ｓｅｓｓｉｏｎ  Ｉｎｉｔｉａｔｉｏｎ  Ｐｒｏｔｏｃｏｌ）などのＶｏＩＰプロトコルを用いて呼接続機能及び通話機能を提供する。
【００２９】
図４は図３のＲＡＭ７内の番号アドレステーブルの一例を示す図である。図１におけるＬＡＮ７０に接続されたＩＰ電話機７０及びクライアントパーソナルコンピュータ３０毎にＩＰアドレスが付与され、図４に示すように、当該各ＩＰアドレス毎に、ダイヤルイン番号、及び呼び出しモードが予め設定されている。当該番号アドレステーブル７ａの内容の設定は、例えばＬＡＮ７０の管理者により予め操作部５を用いて入力されて登録される。
【００３０】
図５は図３のファクシミリサーバ装置２０の主制御部１によって実行される着信処理を示すフローチャートである。
【００３１】
図５のステップＳ１において着呼したか否かが判断され、ＹＥＳとなったとき、ステップＳ２においてダイヤルインモード（ダイヤルインによる着信）か否かが判断され、ＮＯであるときはステップＳ３においてその他の着信処理を実行して当該着信処理を終了する。一方、ステップＳ２でＹＥＳであるときは、ステップＳ４においてダイヤルイン応答手順処理を実行することにより、公衆電話回線Ｌに接続された市内交換機からの、ダイヤルイン番号情報を含むダイヤルイン番号信号（ＤＴＭＦ信号）を受信し、そのダイヤルイン番号情報をＲＡＭ７内の一時メモリに格納する。次いで、受信したダイヤルイン番号情報に基づいて、番号アドレステーブル７ａを参照して、ＩＰ電話機７０への呼び出しであるか否かを判断し、ＹＥＳのときはステップＳ６進む一方、ＮＯのときはステップＳ７に進む。
【００３２】
ステップＳ６では、番号アドレステーブル７ａにおいて受信したダイヤルイン番号情報に対応するＩＰアドレスを読み出して、そのＩＰアドレスを有するＩＰ電話機７０を呼び出して例えばＳＩＰを用いて呼接続を行い、ステップＳ８でＩＰ電話機７０の操作者は通話を行い、ステップＳ９で回線開放の処理を実行して当該着信処理を終了する。
【００３３】
一方、ステップＳ７では、番号アドレステーブル７ａにおいて受信したダイヤルイン番号情報に対応するＩＰアドレスを読み出して、そのＩＰアドレスを有するクライアントパーソナルコンピュータ３０を上述の指定された呼び出しモードで呼び出して例えばＳＩＰを用いて呼接続を行い、ステップＳ８でクライアントパーソナルコンピュータ３０の操作者は通話を行い、ステップＳ９で回線開放の処理を実行して当該着信処理を終了する。
【００３４】
以上説明したように、本実施形態に係るファクシミリサーバ装置２０によれば、公衆電話回線Ｌを介して受信されるダイヤルイン番号信号に基づいて着信交換機能を有するＮＣＵ１１を備えるとともに、ダイヤルイン番号に対応するクライアントパーソナルコンピュータ３０及びＩＰ電話機７０のＩＰアドレスを示す番号アドレステーブルを格納する番号アドレステーブル７ａを含むＲＡＭ７を備え、公衆電話回線Ｌを介して受信されるダイヤルイン番号信号に応答して、上記番号アドレステーブル７ａを参照して、受信したダイヤルイン番号に対応するＩＰアドレスのクライアントパーソナルコンピュータ３０又はＩＰ電話機７０を検索し、検索した装置に対して着信呼を次のモードで報知する。従って、ＬＡＮ７０に接続されたクライアントパーソナルコンピュータ３０又はＩＰ電話機７０を呼び出すことができ、電話での通話を可能にしている。すなわち、ダイヤルインサービス機能を有するファクシミリサーバ装置２０において、特定のダイヤルイン番号を受信したときに、ファクシミリサーバ装置に接続されたクライアントパーソナルコンピュータ３０などのクライアント装置を呼び出すことができる。従って、ＬＡＮ７０内であれば、比較的距離が離れている場合でも、電話を受けることができる。また、ＬＡＮ７０に接続されたクライアントパーソナルコンピュータ３０があれば、ファクシミリサーバ装置２０に付属の電話機を使用しなくても電話を受けることができる。
【００３５】
なお、ファクシミリサーバ装置２０において、発信及び着信についての相手先、時刻、通信時間などの通信管理情報をＲＡＭ７に記憶しておき、必要に応じて、画像記録部３又は表示部４に出力するようにしてもよい。この場合、ファクシミリサーバ装置２０により、通信管理のログを容易に管理できる。
【００３６】
＜変形例＞
以上の実施形態においては、ファクシミリサーバ装置２０の例について述べているが、本発明はこれに限らず、公衆電話網又は公衆デジタル回線網などの公衆網やインターネットに接続された、例えば電話機、データ通信装置、サーバ装置、画像読取部、ファクシミリ及び画像記録部付きの複合機などを含む通信端末装置に適用することができる。
【００３７】
【発明の効果】
以上詳述したように本発明に係る通信端末装置によれば、クライアント装置が通信回線を介して接続され、ダイヤルインサービス機能を有する通信端末装置であって、ダイヤルイン番号に対応するクライアント装置のＩＰアドレスを示す番号アドレステーブルを格納する記憶手段と、ダイヤルイン番号信号に応答して、上記番号アドレステーブルを参照して、受信したダイヤルイン番号に対応するＩＰアドレスのクライアント装置を検索し、検索したクライアント装置に対して着信呼を報知する制御手段を備える。従って、ＬＡＮなど通信回線を介して接続されたクライアントパ装置又はＩＰ電話機を呼び出すことができ、電話での通話を可能にしている。すなわち、ダイヤルインサービス機能を有するファクシミリサーバ装置などの通信端末装置において、特定のダイヤルイン番号を受信したときに、当該通信端末装置に接続されたクライアント装置を呼び出すことができる。従って、ＬＡＮなどの通信回線が接続された範囲であれば、比較的距離が離れている場合でも、電話を受けることができる。また、当該通信回線に接続されたクライアント装置があれば、当該通信端末装置に付属の電話機を使用しなくても電話を受けることができる。
【００３８】
上記通信端末装置において、上記制御手段は、検索したクライアント装置に対して着信呼を電子メールを用いて報知する。従って、ダイヤルインでの着信を電子メールを用いてクライアント装置に対して報知できる。
【００３９】
また、上記通信端末装置において、上記制御手段は、検索したクライアント装置に対して着信呼を当該クライアント装置の鳴動機能を用いて報知する。従って、ダイヤルインでの着信をクライアント装置の鳴動機能を用いて報知できる。
【００４０】
さらに、上記通信端末装置において、ＩＰ電話機が上記通信回線を介して上記通信端末装置にさらに接続され、上記番号アドレステーブルはさらに、ダイヤルイン番号に対応するＩＰ電話機のＩＰアドレスを含み、上記制御手段は、ダイヤルイン番号信号に応答して、上記番号アドレステーブルを参照して、受信したダイヤルイン番号に対応するＩＰアドレスのＩＰ電話機を検索し、検索したＩＰ電話機に対して着信呼を報知する。従って、ダイヤルインでの着信をＬＡＮなどの通信回線に接続されたＩＰ電話機にさらに報知できる。
【図面の簡単な説明】
【図１】本発明に係る一実施形態である、ファクシミリサーバ装置２０及びクライアントパーソナルコンピュータ３０−１乃至３０−Ｎを備えたファクシミリシステムの構成を示すブロック図である。
【図２】図１のクライアントパーソナルコンピュータ３０の構成を示すブロック図である。
【図３】図１のファクシミリサーバ装置２０の構成を示すブロック図である。
【図４】図３のＲＡＭ７内の番号アドレステーブルの一例を示す図である。
【図５】図３のファクシミリサーバ装置２０の主制御部１によって実行される着信処理を示すフローチャートである。
【符号の説明】
１…主制御部、
２…画像読取部、
３…画像記録部、
４…表示部、
５…操作部、
６…ＲＯＭ、
７…ＲＡＭ、
７ａ…番号アドレステーブル、
８…画像メモリ、
１０…ファックスモデム、
１１…ＮＣＵ、
１２…ＬＡＮインターフェース、
１３…バス、
２０…ファクシミリサーバ装置、
３０，３０−１乃至３０−Ｎ…クライアントパーソナルコンピュータ（クライアントパーソナルコンピュータ）、
５０…メールサーバ装置、
６０…ルータ装置、
７０，７０−１乃至７０−Ｍ…ＩＰ電話機、
８０…公衆電話網、
９０…インターネット、
１０１…主制御部、
１０２…画像読取部、
１０３…画像記録部、
１０４…表示部、
１０５…操作部、
１０６…ＲＯＭ、
１０７…ＲＡＭ、
１０８…ハードディスクドライブ、
１１２…ＬＡＮインターフェース、
１１３…バス、
Ｌ…公衆電話回線。
【図１】
2004343332.tif 000003
【図２】
2004343332.tif 000004
【図３】
2004343332.tif 000005
【図４】
2004343332.tif 000006
【図５】
2004343332.tif 000007